(57)【要約】【課題】  排水時に残湯水位を設定して排水すれば、自動的に該水位で浴槽の排水口を閉塞できる浴槽用残湯水位制御栓を提供すること。【解決手段】  任意形状で中心に挿通孔１aが縦設され周囲に空気室１bが内設された浮遊体１と、挿通孔１aに摺動自在に挿通され上下方向適所に水位を指示する目盛２aが表示された所要長の支持棒２と、支持棒２に浮遊体１の上方から外嵌される摩擦体３と、支持棒２の下端部に着脱自在に螺着される閉塞栓４と、閉塞栓４の下端に接合される閉塞栓誘導体５とから成る。このほか、浮遊体１が浴槽Ｂの排水口７の近傍で浮遊するようにその浮動範囲を規制する浮動範囲規制手段６が支持棒２に付加される。【選択図】  図１
2009249942.tif 000002
【特許請求の範囲】
【請求項１】
任意形状の浮遊体と、該浮遊体の中心に摺動自在に挿通され水位指示線の位置決め手段で浮遊体を位置決めする支持棒と、該支持棒の下端に着脱自在に係着される所要形状の閉塞栓と、該閉塞栓の下端に接合される所要長の閉塞栓誘導体とから成り、該閉塞栓誘導体を浴槽の排水口に挿通し該浴槽の残湯水位を自動的に制御できることを特徴とする浴槽用残湯水位制御栓。
【請求項２】
前記支持棒に浮遊体の浮動範囲規制手段を設けて成る請求項１記載の浴槽用残湯水位制御栓。
【発明の詳細な説明】
【技術分野】
【０００１】
本発明は、浴槽の付属品としての残湯水位の制御栓に関する。
詳しくは、湯水の貯えられた浴槽の沈殿物を流出させるために排水口を開口して所要水量を流出させる場合のように、流出による水位の降下量を設定して排水させ自動的に設定水位にて止水させる残湯の水位制御栓に関する技術に属する。
【背景技術】
【０００２】
浴槽内に貯湯した湯量を把握できる技術は実開平５−６８３９１号公報（特許文献１）及び特開２００１−２３８８０９号公報（特許文献２）で提案されている。これらは何れも湯張り状態の湯量を確認するためのもので排水時の残湯水位を確保することはできない。
すなわち、特許文献２の技術では、排水時に使用しようとすれば、付きっきりで所定の湯量（水位）を確認して排水栓で排水口を閉塞することになる。したがって、排水栓を抜いたまま一時その場を離れ、うっかりして全量排水してしまう問題がある。
【特許文献１】実開平５−６８３９１号公報
【特許文献２】特開２００１−２３８８０９号公報
【発明の開示】
【発明が解決しようとする課題】
【０００３】
本発明は、排水時に残湯水位を設定して排水すれば、自動的に該水位で浴槽の排水口を閉塞できる浴槽用残湯水位制御栓を提供しようとする。
【課題を解決するための手段】
【０００４】
本発明の請求項１に記載した浴槽用残湯水位制御栓は、任意形状の浮遊体と、該浮遊体の中心に摺動自在に挿通され、水位指示線を目安に位置決め手段で浮遊体を位置決めする支持棒と、該支持棒の下端に着脱自在に係着される所要形状の閉塞栓と、該閉塞栓の下端に接合される所要長の閉塞栓誘導体とから成り、該閉塞栓誘導体を浴槽の排水口に挿通し該浴槽の残湯水位を自動的に制御できることを特徴とする。
請求項２に記載した発明は、請求項１に記載した浴槽用残湯水位制御栓において、
前記支持棒に浮遊体の浮動範囲規制手段を設けて成る。
【発明の効果】
【０００５】
本発明の浴槽用残湯水位制御栓によれば、浴槽内の所要残湯を確保して自動的に排水口を閉栓できるから、排水時に人手が拘束されず無駄な労力を解消できることと、追い焚き時の浴槽の底洗いも経済的になされ（不必要な湯量を捨てることもなく）、燃料費の節約ができることで、省エネルギー効果の高いものである。
【発明を実施するための最良の形態】
【０００６】
浮遊体の支持棒に対する位置決め手段は、該支持棒に外嵌するリング状の摩擦体によって支持棒との摩擦抵抗で浮遊体を所要位置（水位指示線）に位置決めするものから、該摩擦体（又は止め輪など）をより確実にセットスクリューによって支持棒の適所に位置決めするなどであり、また、支持棒の下端部と閉塞栓との関係は、単に螺合によって着脱自在とするものから、支持棒の外周に横設する一対の嵌合突起と、閉塞栓に設ける該嵌合突起を嵌入させる縦溝と該縦溝に連通する水平溝とで構成される抜け止め部とによる水平回転脱着によるものなどである。このほか、支持棒には該支持棒に外嵌するリングと該リングに一端を係着し、他端にクリップを係着した紐とから成る浮遊体の浮遊範囲規制手段を設けるなどである。
【実施例】
【０００７】
本発明を一実施例により説明すると、図１に示すように、浴槽用残湯水位制御栓Ａは、外郭球形で中心に所要径の挿通孔１aが縦設され、周囲に空気室１bが気密状に内設された浮遊体１と、挿通孔１aに摺動自在に挿通され上下方向適所に水位指示線の目盛２aが表示された所要長の支持棒２と、支持棒２に浮遊体１の上方から外嵌される位置決め手段としての摩擦体３と、支持棒２の下端部に着脱自在に螺着或いは揺動自在にピン接合される変形自在な球状の閉塞栓４と閉塞栓４の下端に接合される閉塞栓誘導体５とから成る。閉塞栓誘導体５は鎖５aとその下端に接合される重り５bとから成る。さらに、摩擦体３には仮想線で示すように、確実に浮遊体１を支持棒２に位置決めするためのセットスクリューとしての蝶ボルト３aが設けられることもある。このほか、支持棒２には仮想線で示すように、支持棒２に外嵌されるリング６aと、一端をリング６aに係着し他端にクリップ（図外）を係着した所要長の紐６bとから成る浮動範囲規制手段６を設けて浮遊体１が浴槽の排水口の近傍で浮遊するようにその浮動範囲を規制する。
【０００８】
支持棒２と閉塞栓４との関係は、図３に示すように、固定された閉塞栓４に対して支持棒２を90°回転するだけで簡単に支持棒２が閉塞栓４から脱却できるものも提供される。すなわち、逆截頭円錐台状の閉塞栓４は、支持棒２の下端部を嵌合する嵌合孔４aの左右内面から外方に向けて縦設した縦溝４bと、縦溝４bの下端から所要高さで一定回転方向に90°の範囲で連通する横溝４cから成る抜け止め部４Aが設けられ、一方、支持棒２の下端部にはその外周に縦溝４bに嵌合する幅と、横溝４cに嵌合できる高さから成る一対の嵌合突起２bが設けられ、支持棒２の下端を閉塞栓４の嵌合孔４aに嵌合しつつ、両嵌合突起２bをそれぞれ縦溝４bに嵌合し、嵌合下端で90°支持棒２を回転すれば、嵌合突起２bはそれぞれ横溝４cに嵌合し、支持棒２に対して閉塞栓４は抜け止め状態で確実に嵌合される。したがって閉塞栓４から支持棒２を外す場合は前記要領の逆で、逆方向に支持棒２を90°回転し、回転端で支持棒２を持ち上げれば簡単に両者は分離される。閉塞栓４の下端には閉塞栓誘導体５が接合される。
【０００９】
このようにして成る浴槽用残湯水位制御栓Ａは、図２に示すように、浴槽Ｂの湯の追い焚き時に使用される。
すなわち、所要に湯張りされた浴槽Ｂに、予め残湯水位を確保できる支持棒２の位置に摩擦体３を介して浮遊体１を位置決めして浴槽用残湯水位制御栓Ａが浮べられる。そして、追い焚きに備えて浴槽Ｂの底洗いのために、既設の排水栓（図外）が抜かれる。そのとき、閉塞栓誘導体５が排水栓の抜かれた排水口７に挿通される。あとは人がいなくても水位が下がるにつれて浮遊体１が下がり、閉塞栓誘導体５は排水口７よりの排水に伴う負圧で強く引き込まれ、支持棒２は排水口７の中心鉛直軸上に位置取りされ、遂には閉塞栓４が前記負圧と残湯の水位によって仮想線で示すように、排水口７を閉塞し、残湯水位が自動的に確保される。
このように所要残湯水位まで人手がかからないので、追い焚き時での底洗い処理が省力的になされる。浴槽Ｂの使用時に浮遊体１や支持棒２が邪魔なときは、支持棒２を閉塞栓４から脱却させればよいが、支持棒２と閉塞栓４との関係が図３に示したようなものであれば、その脱却が90°回転して引き抜くことによって簡単にできるのである。なお、浮動範囲規制手段６を用いた場合は、クリップ（図外）も既設の排水栓（図外）を連結する連結部材８から外される。
【産業上の利用可能性】
【００１０】
本発明は、浴槽での追い焚き時の底洗いのために排水する場合に、自動的に残湯水位を確保できるから、浴槽の付属品としても、オプションとして付属した浴槽としても提供できるから、衛生設備業界に貢献できることは勿論のこと、既存の浴槽にも使用できるので、その面での需要も期待できる。
【図面の簡単な説明】
【００１１】
【図１】本発明の浴槽用残湯水位制御栓Ａの正面図。
【図２】浴槽用残湯水位制御栓Ａの使用状態の説明図。
【図３】支持棒２の下端部への閉塞栓４の取付けを示す他の実施態様の説明図で、（ａ）は要部の縦断面図、（ｂ）は（ａ）のＡ−Ａ矢視断面図。
【符号の説明】
【００１２】
１：浮遊体
１a：挿通孔
１b：空気室
２：支持棒
２a：目盛
２b：嵌合突起
３：摩擦体
３a：蝶ボルト
４：閉塞栓
４a：嵌合孔
４b：縦溝
４c：横溝
４A：抜け止め部
５：閉塞栓誘導体
５a：鎖
５b：重り
６：浮動範囲規制手段
６a：リング
６b：紐
７：排水口
８：連結部材
Ａ：浴槽用残湯水位制御栓
Ｂ：浴槽
【図１】
2009249942.tif 000003
【図２】
2009249942.tif 000004
【図３】
2009249942.tif 000005